(57)【要約】【課題】簡単な構成で固定ボルトの取り外し忘れを防止できる洗濯機を提供する。【解決手段】前面側に開口部（４）を有する外箱（１）と、外箱（１）の内部に配置され、外箱（１）に揺動可能に支持された水槽（１３）と、水槽（１３）を外箱（１）に固定する複数の固定ボルト（５０）と、外箱（１）の後面から伸びる電源コード（２１）と、この電源コード（２１）の先端に設けられたプラグ（２２）とを有する電源ケーブルと、複数の固定ボルト（５０）により外箱（１）の後面に固定され、外箱（１）の後面と共に電源コード（２１）の一部を挟持する固定部材（６１，６２）と、を洗濯機に備えた。【選択図】図２
2017093916.tif 000002
【特許請求の範囲】
【請求項１】
前面側に開口部を有する外箱と、
上記外箱の内部に配置され、上記外箱に揺動可能に支持された水槽と、
上記水槽を上記外箱に固定する複数の固定ボルトと、
上記外箱の後面から伸びる電源コードと、この電源コードの先端に設けられたプラグとを有する電源ケーブルと、
相互に隣接する上記複数の固定ボルトにより上記外箱の後面に固定され、相互に隣接する上記複数の固定ボルトの間の上記外箱の後面と共に上記電源コードの一部を挟持する固定部材と、
を備えたことを特徴とする洗濯機。
【請求項２】
請求項１に記載の洗濯機において、
上記外箱の後面に、上記プラグを収納可能な凹部が設けられていることを特徴とする洗濯機。
【請求項３】
請求項１または２に記載の洗濯機において、
上記固定部材が、上記電源コードを収納可能な溝部を有していることを特徴とする洗濯機。
【発明の詳細な説明】
【技術分野】
【０００１】
本発明は、洗濯機に関する。
【背景技術】
【０００２】
従来、洗濯機としては、例えば、特許文献１に記載されたものがある。この洗濯機は、外箱と、外箱の内部に配置された水槽と、水槽に回転可能に配置された回転ドラムと、回転ドラムを駆動するモータと、水槽の揺れを検知する水槽揺動検知部と、モータを制御する制御装置と、を備えている。
【先行技術文献】
【特許文献】
【０００３】
【特許文献１】特許５６７８２７５号公報
【発明の概要】
【発明が解決しようとする課題】
【０００４】
上記洗濯機は、回転ドラムの回転に伴う振動が外箱に伝達するのを防止するために、水槽が外箱に揺動可能に取り付けられている。水槽が大きく揺動すると、水槽または水槽に取り付けられている部材が、外箱の内壁あるいは外箱の内部に配置されている他の部材に衝突し、破損する場合がある。このため、上記洗濯機の運搬等は、水槽等が破損しないように、固定ボルトにより水槽を外箱に固定した状態で行われる。
【０００５】
上記洗濯機の運搬等を行う際に用いられた固定ボルトは、上記洗濯機の設置場所で取り外されるようになっている。しかし、固定ボルトを取り外し忘れて、水槽が外箱に固定されたまま洗濯機が使用されると、水槽または水槽に取り付けられている部材が、外箱の内壁あるいは外箱の内部に配置されている他の部材に衝突し、異常な音および振動が発生して、洗濯機が破損するという問題がある。
【０００６】
この問題を解決するため、上記洗濯機では、制御装置が、水槽揺動検知部により検知された水槽の揺れに基づいて、水槽を外箱に固定する固定ボルトが取り外されているか否かを判定し、固定ボルトが取り外されていない場合、その旨を使用者に報知して、固定ボルトの取り外し忘れによる不具合を防ぐようにしている。
【０００７】
しかし、上記洗濯機では、構造が複雑になる。また、例えば、水槽揺動検知部が故障してしまった場合、固定ボルトの取り外し忘れを検知できず、固定ボルトの取り外し忘れによる不具合を防ぐことができない。
【０００８】
そこで、本発明の課題は、簡単な構成で固定ボルトの取り外し忘れを防止できる洗濯機を提供することにある。
【課題を解決するための手段】
【０００９】
上記課題を解決するため、本発明の洗濯機は、
前面側に開口部を有する外箱と、
上記外箱の内部に配置され、上記外箱に揺動可能に支持された水槽と、
上記水槽を上記外箱に固定する複数の固定ボルトと、
上記外箱の後面から伸びる電源コードと、この電源コードの先端に設けられたプラグとを有する電源ケーブルと、
相互に隣接する上記複数の固定ボルトにより上記外箱の後面に固定され、相互に隣接する上記複数の固定ボルトの間の上記外箱の後面と共に上記電源コードの一部を挟持する固定部材と、
を備えたことを特徴としている。
【００１０】
また、一実施形態の洗濯機では、
上記外箱の後面に、上記プラグを収納可能な凹部が設けられている。
【００１１】
また、一実施形態の洗濯機では、
上記固定部材が、上記電源コードを収納可能な溝部を有している。
【発明の効果】
【００１２】
本発明によれば、固定ボルトにより外箱に水槽を固定して運搬等を行う際に、水槽が固定部材により外箱の後面に固定され、相互に隣接する複数の固定ボルトの間の外箱の後面と固定部材とで電源コードの一部が挟持される。これにより、固定ボルトを取り外さなければ、電源コードを自由に延ばすことができず、洗濯機の使用が困難になるので、固定ボルトの取り外し忘れを防止できる。すなわち、簡単な構成で固定ボルトの取り外し忘れを防止できる。
【図面の簡単な説明】
【００１３】
【図１】本発明の第１実施形態の洗濯機の前面側から見た斜視図である。
【図２】図１の洗濯機の後面側から見た斜視図である。
【図３】図１の洗濯機の固定ボルトおよび固定部材を取り付けた状態の後面側から見た斜視図である。
【図４】図１の洗濯機の固定ボルトおよび固定部材を取り付けた状態の後面図である。
【図５】図１の洗濯機に用いる固定ボルトの斜視図である。
【図６】図１の洗濯機に用いる固定部材の斜視図である。
【図７】図１の洗濯機に用いる他の固定部材の斜視図である。
【図８】図４のVIII-VIII線に沿った断面図である。
【図９】図１の洗濯機の後面模式図である。
【図１０】本発明の第２実施形態の洗濯機の後面模式図である。
【図１１】本発明の第３実施形態の洗濯機の後面模式図である。
【図１２】本発明の第４実施形態の洗濯機の後面模式図である。
【図１３】本発明の一実施形態の洗濯機に用いる固定ボルトの斜視図である。
【図１４】本発明の一実施形態の洗濯機に用いる固定部材の斜視図である。
【図１５】本発明の一実施形態の洗濯機に用いる他の固定部材の斜視図である。
【図１６】図１３の固定ボルトにより図１４および図１５の固定部材を洗濯機の外箱の後面に固定した状態を示す平面図である。
【発明を実施するための形態】
【００１４】
以下、本発明を図示の実施形態により詳細に説明する。なお、以下の説明では、図面に表された構成を説明するうえで、「上」、「下」、「左」、「右」等の方向を示す用語、及びそれらを含む別の用語を使用するが、それらの用語を使用する目的は図面を通じて実施形態の理解を容易にするためである。したがって、それらの用語は本発明の実施形態が実際に使用されるときの方向を示すものとは限らないし、それらの用語によって特許請求の範囲に記載された発明の技術的範囲が限定的に解釈されるべきでない。
【００１５】
（第１実施形態）
第１実施形態の洗濯機の一例のドラム式洗濯乾燥機１００は、図１に示すように、開口部４を有する外箱１と、開口部４を開閉する円盤形状のドア２とを備えている。外箱１の内部には、外箱１に揺動可能に支持された水槽１３（図５に示す）、水槽１３の内部に回転可能に配置された回転ドラム３（図５に示す）、および、制御装置（図示せず）などが設けられている。
【００１６】
なお、以下の記載において、ドラム式洗濯乾燥機１００の開口部４が設けられている側の面を前面、前面に対向する面を後面とする。また、図１の上下方向および左右方向をそれぞれＸ方向およびＹ方向とする。
【００１７】
図１に示すように、外箱１の前面の開口部４のＹ方向の上側には、運転動作を選択して指示入力すると共に運転状態を表示する操作パネル６と、洗剤ケース１４とが設けられ、外箱１の前面の開口部４のＹ方向の下側には、糸くずフィルタ装置１５が設けられている。外箱１のＹ方向の上側の面には、給水ホース接続部７、風呂水給水口８、および、乾燥フィルタ装置９が設けられている。また、外箱１のＸ方向の右側の面には、排水ホース接続口１６が設けられている。
【００１８】
図２に示すように、外箱１の後面には、後述する固定ボルト５０を挿入するための挿入穴部３１，３２，３３，３４と、電源ケーブル接続部２０とが設けられている。
【００１９】
挿入穴部３１，３２，３３，３４は、それぞれ、四角形状の穴部３１１，３２１，３３１，３４１と、この穴部３１１，３２１，３３１，３４１からＸ方向に伸びるスリット状の切欠部３１２，３２２，３３２，３４２とで構成されている。この挿入穴部３１，３２，３３，３４は、水槽１３の後側のＹ方向の上側の端部に対応する位置と、水槽１３の後側のＹ方向の下側の端部に対応する位置とに、それぞれ２つずつ、Ｘ方向に間隔を空けて配置されている。Ｙ方向の上側の挿入穴部３１，３２（以下、上側挿入穴部３１，３２という）は、穴部３１１，３２１が対向するように配置されている。また、Ｙ方向の下側の挿入穴部３３，３４（以下、下側挿入穴部３３，３４という）は、切欠部３３２，３４２が対向するように配置されている。
【００２０】
図９に示すように、電源ケーブル接続部２０は、外箱１の後面のＸ方向の左側かつＹ方向の下側（図２のＸ方向の右側かつＹ方向の下側）の隅部に配置され、この電源ケーブル接続部２０から伸びる電源コード２１と、この電源コード２１の先端に設けられたプラグ２２とを有する電源ケーブルが接続されている。
【００２１】
上側挿入穴部３１，３２の間および下側挿入穴部３３，３４の間には、挟持部４１，４２がそれぞれ設けられている。挟持部４１は、上側挿入穴部３１，３２の穴部３１１，３２１の間に広がる平坦面で構成され、挟持部４２は、下側挿入穴部３３，３４の切欠部３３２，３４２の間に広がる平坦面で構成されている。この挟持部４１，４２は、後述する固定部材６１，６２を取り付けたときに、固定部材６１，６２と共に電源ケーブルの電源コード２１の一部を挟持できるように形成されている。
【００２２】
また、外箱１の後面のＹ方向の上側のＸ方向の両端部には、輸送時などに電源ケーブルの電源コード２１を引き回すための板爪部２３が設けられている。
【００２３】
なお、外箱１の後面のＸ方向の両端部には、後側から前側に傾斜する傾斜面２６が設けられている。また、外箱１の後面のＹ方向の上側には、外箱１の後面から前面側に伸びる段部２７が設けられている。
【００２４】
ドア２は、ドアハンドル１０を有し、開口部４を開閉できるように外箱１に取り付けられている。また、このドア２は、開口部を閉鎖したときに、開口部４を水密かつ気密に封止できるようになっている。
【００２５】
水槽１３および回転ドラム３は、開口部４を介して、外箱１の外部と連通している。このため、ドア２を開放することにより、開口部４を介して回転ドラム３の内部に洗濯物をいれたり、回転ドラム３の内部から洗濯物を出したりすることができる。
【００２６】
制御装置は、操作パネル６を介して入力された運転コースの選択あるいは各工程の時間設定などの情報に基づいて、例えば、洗濯から乾燥までの一連の動作を実行する。
【００２７】
また、ドラム式洗濯乾燥機１００には、外箱１の内部の後面側に配置された乾燥用のヒートポンプユニット（図示せず）と、このヒートポンプユニットを介して水槽１３内の空気を循環させるための循環経路とが設けられている。
【００２８】
次に、固定ボルト５０により水槽１３を外箱１に固定した状態のドラム式洗濯乾燥機１００について説明する。
【００２９】
図２，図３，図４に示すように、この状態のドラム式洗濯乾燥機１００は、外箱１の後面の挿入穴部３１，３２，３３，３４にそれぞれ固定ボルト５０が挿入され、この固定ボルト５０により水槽１３および固定部材６１，６２が外箱１に固定されている。
【００３０】
固定ボルト５０は、図５に示すように、ヘッド部５２を有する円柱状の軸部５１と、軸部５１に取り付けられた固定金具５３と、ヘッド部５２と固定金具５３との間に設けられた座金部５４とで構成されている。
【００３１】
軸部５１は、その外周面にねじ山を有し、外箱１の挿入穴部３１，３２，３３，３４の切欠部３１２，３２２，３３２，３４２に挿入可能に形成されている。固定金具５３は、一面に開口部５３１が設けられた中空の直方体形状を有し、外箱１の挿入穴部３１，３２，３３，３４の穴部３１１，３２１，３３１，３４１に挿入可能に形成されている。また、座金部５４は、穴部３１１，３２１，３３１，３４１よりも大きい方形の板形状を有している。
【００３２】
固定部材６１は、図６に示すように、略矩形の板形状を有し、固定ボルト５０の軸部５１を挿入可能なスリット６１１，６１２と、スリット６１１，６１２の中央に設けられた溝部６１３とで構成されている。スリット６１１，６１２および溝部６１３は、固定部材６１の短手方向に伸びている。スリット６１１，６１２は、固定ボルト５０の軸部５１を挿入可能な形状を有し、上側挿入穴部３１，３２のそれぞれに挿入された固定ボルト５０の軸部５１を両方同時に挿入できるように配置されている。また、溝部６１３は、電源コード２１を収納可能な形状を有している。
【００３３】
固定部材６２は、図７に示すように、固定部材６１と同じ構成を有している。すなわち、固定ボルト５０の軸部５１を挿入可能なスリット６２１，６２２と、スリット６２１，６２２の中央に設けられた溝部６２３とで構成されている。スリット６２１，６２２および溝部６２３は、固定部材６１の短手方向に伸びている。スリット６２１，６２２は、下側挿入穴部３３，３４のそれぞれに挿入され、水槽１３に固定された固定ボルト５０の軸部５１を両方同時に挿入可能に配置されている。
【００３４】
また、固定ボルト５０は、次のように、ドラム式洗濯乾燥機１００に取り付けられる。
【００３５】
まず、外箱１の挿入穴部３１，３２，３３，３４の穴部３１１，３２１，３３１，３４１を介して、固定ボルト５０をその先端部５１１（図５に示す）側から外箱１の内部に挿入する。このとき、図８に示すように、固定ボルト５０は、その先端部５１１が、水槽１３の後側のＹ方向の上側の端部に設けられたねじ受部１３１、あるいは、水槽１３の後側のＹ方向の下側の端部に設けられた取付金具１８のねじ受部１３２にねじ込むことができるように挿入される。
【００３６】
固定ボルト５０の固定金具５３が外箱１の内部に挿入されると、外箱１の挿入穴部３１，３２，３３，３４の切欠部３１２，３２２，３３２，３４２に、固定ボルト５０の固定金具５３と座金部５４との間の軸部５１を挿入し、固定部材６１，６２を外箱１の後面と座金部５４との間に位置するように取り付ける。
【００３７】
このとき、固定部材６１は、そのスリット６１１，６１２，６２１，６２２に、相互に隣接する固定ボルト５０の固定金具５３と座金部５４との間の軸部５１を挿入することにより取り付ける。また、図９に示すように、外箱１のＹ方向の上側の挟持部４１と固定部材６１の溝部６１３との間、および、Ｙ方向の下側の挟持部４２と固定部材６２の溝部６２３との間に位置するように、電源コード２１を配置する。
【００３８】
電源コード２１が配置されると、固定ボルト５０を回して、水槽１３および取付金具１８のねじ受部１３１，１３２にねじ込む。これにより、水槽１３が外箱１に固定されると共に、固定部材６１，６２が外箱１に固定され、電源コード２１の一部が、互に隣接する複数の固定ボルト５０の間の外箱１の挟持部４１，４２と固定部材６１，６２の溝部６１３，６２３とで挟持される。
【００３９】
このように、例えば、上記ドラム式洗濯乾燥機１００を運搬する際に、水槽１３が固定部材６１，６２により外箱１の後面に固定され、相互に隣接する複数の固定ボルト５０の間の外箱１の後面と固定部材６１，６２とで電源コード２１の一部が挟持される。これにより、固定ボルト５０を取り外さなければ電源コード２１を自由に延ばすことができず、洗濯機１００の使用が困難になるので、固定ボルト５０の取り外し忘れを防止できる。すなわち、簡単な構成で固定ボルト５０の取り外し忘れを防止できる。
【００４０】
また、固定部材６１，６２が電源コード２１を収納可能な溝部６１３，６２３を有しているので、固定部材６１，６２で電源コード２１を挟み込んで断線することなく挟持できる。
【００４１】
なお、電源コード２１は、固定ボルト５０を取り外さなければ、プラグ２２をコンセントに挿すことができないように挟持されるのが好ましい。一般に、ドラム式洗濯乾燥機１００の設置場所のコンセントは、ドラム式洗濯乾燥機１００の上面付近、あるいは、それよりも高い位置に設けられていることが多い。このため、プラグ２２が少なくともドラム式洗濯乾燥機１００の上面まで伸びないように電源コード２１を挟持するのが好ましい。このように電源コード２１を挟持することで、固定ボルト５０の取り外し忘れを防止できる。
【００４２】
また、第１実施形態のドラム式洗濯乾燥機１００では、電源コード２１が、図９に示すように、上側挿入穴部３１，３２および下側挿入穴部３３，３４の間をＹ方向の下側から上側に引き回され、Ｘ方向の左側（図９ではＸ方向の右側）の板爪部２３に引っかけられて、プラグ２２が外箱１の傾斜面２６の周辺に位置した状態で、梱包されるようになっている。このため、ドラム式洗濯乾燥機１００を、例えば、立方体状の汎用の梱包材で梱包する場合、プラグ２２が傾斜面２６と梱包材との間に収納されるので、専用の梱包材を用いる必要がない。
【００４３】
（第２実施形態）
本発明の第２実施形態のドラム式洗濯乾燥機は、図１０に示すように、下側挿入穴部３３，３４のＹ方向の下側に、電源ケーブルのプラグ２２を収納するための凹部７０を設けた点で、第１実施形態のドラム式洗濯乾燥機１００とは異なっている。
【００４４】
凹部７０は、電源ケーブルのプラグ２２を収納可能な大きさを有し、Ｙ方向の下側の挿入穴部３３，３４の下側の近傍に配置されている。このように、Ｙ方向の下側の挿入穴部３３，３４の下側の近傍に凹部７０を設けているので、挟持部４２および固定部材６２によりプラグ２２の近傍の電源コード２１が挟持される。このため、固定ボルト５０を取り外さなければ、プラグ２２をコンセントに挿すことが困難になる。よって、簡単な構成で、固定ボルトの取り外し忘れを防止できる。
【００４５】
また、プラグ２２が凹部７０に収納されているので、プラグ２２が外箱１の後面に位置していても専用の梱包材を用いる必要がなく、ドラム式洗濯乾燥機を汎用の梱包材、例えば、第１実施形態のドラム式洗濯乾燥機１００を梱包する梱包材と同じものを用いて梱包することができる。
【００４６】
なお、第２実施形態のドラム式洗濯乾燥機では、電源ケーブルの電源コード２１が、図１０に示すように、Ｘ方向の左側（図９ではＸ方向の右側）の板爪部２３に引っかけられた後、上側挿入穴部３１，３２および下側挿入穴部３３，３４の間をＹ方向の上側から下側に引き回され、プラグ２２が凹部７０に収納された状態で、梱包されるようになっている。
【００４７】
（第３実施形態）
本発明の第３実施形態のドラム式洗濯乾燥機は、図１１に示すように、外箱１の後面の板爪部２３の間かつ下側挿入穴部３３，３４のＹ方向の下側に、さらに板爪部２４を設けた点で、第１実施形態のドラム式洗濯乾燥機１００とは異なっている。
【００４８】
このように、外箱１の後面の板爪部２３の間かつ下側挿入穴部３３，３４のＹ方向の下側に板爪部２４を設けることで、例えば、図１１に示すように、電源コード２１を引き回した状態で、ドラム式洗濯乾燥機を梱包することができる。
【００４９】
すなわち、電源コード２１が、Ｘ方向の左側（図９ではＸ方向の右側）の板爪部２３に引っかけられ、上側挿入穴部３１，３２および下側挿入穴部３３，３４の間をＹ方向の上側から下側に引き回された後、板爪部２３の間かつ下側挿入穴部３３，３４のＹ方向の下側に設けられた板爪部２４で折り返され、再び上側挿入穴部３１，３２および下側挿入穴部３３，３４の間をＹ方向の下側から上側に引き回されて、プラグ２２が外箱１の段部２７に位置した状態で、ドラム式洗濯乾燥機を梱包することができる。よって、板爪部２４を設けることで、電源ケーブル接続部２０の位置、あるいは、電源コード２１の長さ等に応じて、電源コード２１を任意の位置で挟持できる。
【００５０】
（第４実施形態）
本発明の第４実施形態のドラム式洗濯乾燥機は、図１２に示すように、外箱１の後面の板爪部２３の間に、さらに板爪部２５を設けた点で、第２実施形態のドラム式洗濯乾燥機とは異なっている。
【００５１】
このように、外箱１の後面の板爪部２３の間に板爪部２５を設けることで、例えば、図１２に示すように、電源コード２１を引き回した状態で、ドラム式洗濯乾燥機を梱包することができる。
【００５２】
すなわち、電源コード２１は、上側挿入穴部３１，３２および下側挿入穴部３３，３４の間をＹ方向の下側から上側に引き回された後、板爪部２３の間に設けられた板爪部２５で折り返され、再び上側挿入穴部３１，３２および下側挿入穴部３３，３４の間をＹ方向の上側から下側に引き回されて、プラグ２２が凹部７０に収納された状態で梱包することができる。よって、板爪部２５を設けることで、電源ケーブル接続部２０の位置、あるいは、電源コード２１の長さ等に応じて、電源コード２１を任意の位置で挟持できる。
【００５３】
また、プラグ２２が凹部７０に収納されているので、プラグ２２が外箱１の後面に位置していても専用の梱包材を用いる必要がなく、ドラム式洗濯乾燥機を汎用の梱包材、例えば、第１実施形態のドラム式洗濯乾燥機１００を梱包する梱包材と同じものを用いて梱包することができる。
【００５４】
（その他の実施形態）
挿入穴部３１，３２，３３，３４は、固定ボルト５０により水槽１３を外箱１に固定できる位置にあればよく、ドラム式洗濯乾燥機の設計等に応じて、任意の位置に設けることができる。また、挿入穴部３１，３２，３３，３４は、ドラム式洗濯乾燥機の設計等に応じて、任意の形状あるいは大きさ等で形成することができる。
【００５５】
挟持部４１，４２は、固定部材６１，６２と共に電源コード２１の一部を挟持できればよく、任意の形状あるいは大きさ等で形成することができる。上記実施形態では、挟持部４１，４２を平坦面で構成し、固定部材６１，６２に電源コード２１を収納できる溝部６１３，６２３を設けて、電源コード２１の一部を挟持しているが、これに限らない。例えば、電源コード２１を収納できる溝部で挟持部を構成すると共に、溝部を設けていない平板形状の固定部材と共に電源コード２１の一部を挟持するようにしてもよい。また、電源コード２１を収納できる溝部で挟持部を構成すると共に、固定部材に溝部を設けて、挟持部の溝部と固定部材の溝部とで電源コード２１の一部を挟持するようにしてもよい。
【００５６】
また、挟持部を平坦面で構成し、溝部を設けていない平板で固定部材を構成してもよい。この場合、例えば、図１３に示す座金部１５４の四隅に突起部５４１が設けられた固定ボルト１５０と、図１４，図１５に示す四隅に貫通穴６１４が設けられた固定部材１６１，１６２とを用いることができる。この固定ボルト１５０の突起部５４１は、固定部材１６１，１６２の貫通穴６２４に圧入できるように形成されている。すなわち、図１６に示すように、固定ボルト１５０の座金部１５４の対向する辺の両端に設けられた突起部５４１をそれぞれ固定部材１６１，１６２の貫通穴６２４に圧入することにより、固定ボルト１５０を介して固定部材１６１，１６２を外箱１の後面に固定することができる。
【００５７】
上記実施形態では、上側挿入穴部３１，３２の間、および、下側挿入穴部３３，３４の間にそれぞれ挟持部４１，４２を設けているが、これに限らない。例えば、上側挿入穴部３１と下側挿入穴部３３との間、あるいは、上側挿入穴部３２と下側挿入穴部３４との間に設けてもよい。
【００５８】
固定部材６１，６２は、使用者が道具を使わずに電源コード２１の挟持を解除できない程度の強度を有する材料であれば、樹脂または金属等、任意の材料で形成できる。
【００５９】
固定部材６１，６２の溝部６１３，６２３は、例えば、図９，図１０に示す第１，第２実施形態のように、１本の電源コード２１を収納できるものであってもよいし、図１１，図１２に示す第３，第４実施形態のように、２本の電源コード２１を収納できるものであってもよいし、３本以上の電源コード２１を収納できるものであってもよい。
【００６０】
凹部７０は、電源ケーブルのプラグ２２を収納して、汎用の梱包材でドラム式洗濯乾燥機を梱包できるものであれば、任意の形状あるいは大きさで形成し、任意に配置することができる。
【００６１】
洗濯機は、ドラム式洗濯乾燥機に限らず、例えば、縦型洗濯機でもよい。
【００６２】
本発明および実施形態をまとめると、次のようになる。
【００６３】
本発明の洗濯機１００は、
前面側に開口部４を有する外箱１と、
上記外箱１の内部に配置され、上記外箱１に揺動可能に支持された水槽１３と、
上記水槽１３を上記外箱１に固定する複数の固定ボルト５０と、
上記外箱１の後面から伸びる電源コード２１と、この電源コード２１の先端に設けられたプラグ２２とを有する電源ケーブルと、
相互に隣接された上記複数の固定ボルト５０により上記外箱１の後面に固定され、相互に隣接する上記複数の固定ボルト５０の間の上記外箱１の後面と共に上記電源コード２１の一部を挟持する固定部材６１，６２と、
を備えたことを特徴としている。
【００６４】
本発明の洗濯機１００によれば、固定ボルト５０により外箱１に水槽１３を固定して運搬等を行う際に、水槽１３が固定部材６１，６２により外箱１の後面に固定され、相互に隣接する複数の固定ボルト５０の間の外箱１の後面と固定部材６１，６２とで電源コード２１の一部が挟持される。これにより、固定ボルト５０を取り外さなければ電源コード２１を自由に延ばすことができず、洗濯機１００の使用が困難になるので、固定ボルト５０の取り外し忘れを防止できる。すなわち、簡単な構成で固定ボルト５０の取り外し忘れを防止できる。
【００６５】
また、一実施形態の洗濯機は、
上記外箱１の後面に、上記プラグ２２を収納可能な凹部７０が設けられている。
【００６６】
上記実施形態によれば、プラグ２２が凹部７０に収納されているので、プラグ２２が外箱１の後面に位置していても専用の梱包材を用いる必要がなく、洗濯機１００を汎用の梱包材を用いて梱包することができる。
【００６７】
また、一実施形態の洗濯機は、
上記固定部材６１，６２が、上記電源コード２１を収納可能な溝部６１３，６２３を有している。
【００６８】
上記実施形態によれば、固定部材６１，６２が電源コード２１を収納可能な溝部６１３，６２３を有しているので、固定部材６１，６２で電源コード２１を挟み込んで断線することなく挟持できる。
【００６９】
上記実施形態で述べた構成要素は、適宜、組み合わせてもよく、また、適宜、選択、置換、あるいは、削除してもよい。
【符号の説明】
【００７０】
１  外箱
２  ドア
３  回転ドラム
４  開口部
６  操作パネル
７  給水ホース接続部
８  風呂水給水口
９  乾燥フィルタ装置
１０  ドアハンドル
１３  水槽
１３１，１３２  ねじ受部
１４  洗剤ケース
１５  糸くずフィルタ装置
１６  排水ホース接続口
１８  取付金具
２０  電源ケーブル接続部
２１  電源コード
２２  プラグ
２３，２４，２５  板爪部
２６  傾斜面
２７  段部
３１，３２，３３，３４  挿入穴部
３１１，３２１，３３１，３４１  穴部
３１２，３２２，３３２，３４２  切欠部
４１，４２  挟持部
５０  固定ボルト
５１  軸部
５１１  先端部
５２  ヘッド部
５３  固定金具
５３１  開口部
５４  座金部
６１，６２  固定部材
６１１，６１２，６２１，６２２  スリット
６１３，６２３  溝部
７０  凹部
１００  ドラム式洗濯乾燥機
【図１】
2017093916.tif 000003
【図２】
2017093916.tif 000004
【図３】
2017093916.tif 000005
【図４】
2017093916.tif 000006
【図５】
2017093916.tif 000007
【図６】
2017093916.tif 000008
【図７】
2017093916.tif 000009
【図８】
2017093916.tif 000010
【図９】
2017093916.tif 000011
【図１０】
2017093916.tif 000012
【図１１】
2017093916.tif 000013
【図１２】
2017093916.tif 000014
【図１３】
2017093916.tif 000015
【図１４】
2017093916.tif 000016
【図１５】
2017093916.tif 000017
【図１６】
2017093916.tif 000018